(57)【要約】【課題】隅棟や棟違い屋根の陸棟における内側の端に取り付けて、隅棟等の内部に雨水が浸入するのを防止することができ、耐侯性が高く、他の屋根瓦と統一性があり、美観性を良くすることができ、縁起がよく、縁起物として使用できる。【解決手段】瓦であって、隅棟２や棟違い屋根の陸棟５における内側の端に取り付けられる裏鬼瓦１０である。この裏鬼瓦１０を隅棟２や棟違い屋根の陸棟５における内側の端に取り付けることができるので、裏鬼瓦１０によって隅棟２や棟違い屋根の陸棟５の内部に雨水が浸入するのを防止できる。しかも、裏鬼瓦１０は瓦であるから、他の屋根瓦と統一性があり、美観性を良くすることができる。瓦の表面上部に縁起模様２１が形成されているので、風切丸４に合わせて瓦の下部分をえぐり取っても、縁起模様の形状を維持したまま、裏鬼瓦１０を隅棟２や棟違い屋根の陸棟５に施工することができる。【選択図】        図１
2004162357.tif 000002
【特許請求の範囲】
【請求項１】
瓦であって、
隅棟の内側の端に、その端面を覆って取り付けられるものである
ことを特徴とする裏鬼瓦。
【請求項２】
瓦であって、
棟違い屋根の陸棟における内側の端に、その端面を覆って取り付けられるものである
ことを特徴とする裏鬼瓦。
【請求項３】
瓦の下部側面に、外側方に突出した基層覆面部が形成された
ことを特徴とする請求項１または２記載の裏鬼瓦。
【請求項４】
瓦の表面上部に、飾り付が取り付けられ、該飾り付の表面に縁起模様が形成された
ことを特徴とする請求項１または２記載の裏鬼瓦。
【発明の詳細な説明】
【０００１】
【発明の属する技術分野】
本発明は、裏鬼瓦に関する。
【０００２】
【従来の技術】
鬼瓦は、瓦葺き屋根における大棟や降り棟、隅棟、棟違い屋根の陸棟の端に、その鬼面が外方に向くように配設し、鬼の力をかりて厄を追い払い、災いが家に侵入するのを防止するのが狙いの魔除けである。
大棟等には、その両端に鬼瓦が取り付けられるが、隅棟や棟違い屋根の陸棟の場合には、外側の端にのみ鬼瓦が取り付けられる。隅棟や棟違い屋根の陸棟における内側の端に鬼瓦を取り付けると、鬼瓦の鬼面を家の中に向けて配置することになり、鬼瓦の鬼面に家人が睨みつけられるようで縁起が悪いとされ、敬遠されるのである。
【０００３】
そんなわけで、瓦業界において、隅棟や棟違い屋根の陸棟における内側の端に、鬼瓦などの瓦を取り付けることはタブー視されてきたのである。
そこで、従来から、図６に示すように、鬼瓦が外側の端に取り付けられた隅棟や棟違い屋根の陸棟において、その内側の端には漆喰やセメントなどによって目止め１１０  が施工されている。この目止め１１０  によって、隅棟や棟違い屋根の陸棟の内部に雨水が浸入するのを防止することができる。
【０００４】
【発明が解決しようとする課題】
しかるに、瓦葺き屋根において、隅棟や棟違い屋根の陸棟などに漆喰等による目止め１１０  が施工されていると、屋根の大部分が屋根瓦で覆われ全体的にキレイな燻し銀に飾られていても、目止め１１０  が施工されている部分によって統一性が損なわれ、美観性を損なうという問題がある。
また、目止め１１０  は漆喰やセメントなどで加工されているので、耐侯性が低く、季節の変化による温度変化に耐えられず、短期間でぼろぼろになって朽ちてしまい修理が必要となるという問題がある。
【０００５】
本発明はかかる事情に鑑み、隅棟や棟違い屋根の陸棟における内側の端に取り付けて、隅棟等の内部に雨水が浸入するのを防止することができ、耐侯性が高く、他の屋根瓦と統一性があり、美観性を良くすることができ、しかも縁起がよく、縁起物として使用できる裏鬼瓦を提供することを目的とする。
【０００６】
【課題を解決するための手段】
請求項１の裏鬼瓦は、瓦であって、隅棟の内側の端に取り付けられるものであることを特徴とする。
請求項２の裏鬼瓦は、瓦であって、棟違い屋根の陸棟における内側の端に取り付けられるものであることを特徴とする。
請求項３の裏鬼瓦は、請求項１または２記載の発明において、瓦の下部側面に、外側方に突出した基層覆面部が形成されたことを特徴とする。
請求項４の裏鬼瓦は、請求項１または２記載の発明において、瓦の表面上部に、飾り付が取り付けられ、該飾り付の表面に縁起模様が形成されたことを特徴とする。
【０００７】
【発明の実施の形態】
つぎに、本発明の実施形態を図面に基づき説明する。
図１（Ｉ）は第１実施形態の裏鬼瓦１０の概略斜視図である。同図に示すように、第１実施形態の裏鬼瓦１０は、粘土を平板状に形成し、その中央部分に孔を形成し、これを焼成した瓦である。このため、裏鬼瓦１０の色は燻し銀であり、他の屋根瓦と違和感がなく統一性がある。
【０００８】
この裏鬼瓦１０は、中央部分が盛り上がっており、下端縁部が水平に形成された形状である。このため、裏鬼瓦１０の瓦面により、隅棟２の内側の端における端面を覆って塞ぐことによって、隅棟２の内部に雨水が浸入するのを防止できる。隅棟２の形状は家が建てられている地域によって差があるので、その地域に応じた隅棟２の形状に裏鬼瓦１０を形成すればよい。
なお、裏鬼瓦１０の形状は、隅棟２の内側の端における端面を覆って塞ぐことができ、隅棟２の内部に雨水が浸入するのを防止できればよく、種々の形状を採択しうる。
【０００９】
図１（Ｉ）に示すように、裏鬼瓦１０の下部側面には、外側方に突出した基層覆面部１３が形成されている。
この基層覆面部１３によって、隅棟２や棟違い屋根の陸棟５において、台のし瓦や肌のし瓦等の基層のし瓦が外側にせり出ていても、その端面を確実に覆うことができる。
【００１０】
裏鬼瓦１０の中央部分には、釘孔１２が形成されている。釘孔１２は、銅線や針金などを通すための孔である。この銅線等により、裏鬼瓦１０を隅棟２の内側の端に固定することができる。
なお、釘孔１２の個数は、２個以上であればよい。
【００１１】
図１（ＩＩ）は第１実施形態の裏鬼瓦１０の下端部分を、設置すべき屋根瓦の形状に合わせて削除した場合の概略斜視図である。図２は第１実施形態の裏鬼瓦１０が設置された隅棟２の概略図である。図２において、符号２、３、４はそれぞれ隅棟、鬼瓦、風切丸を示している。第１実施形態の裏鬼瓦１０を隅棟２の内側の端に取り付けるにあたって、事前に、図１（ＩＩ）および図２に示すように、第１実施形態の裏鬼瓦１０の下端部分を、設置すべき屋根瓦、例えば風切丸４の形状に合わせて削除する。削除部分を符号１４で示している。削除する場合には、例えば回転式サンダーを使用すればよい。
なお、裏鬼瓦１０を設置すべき屋根瓦が、風切丸４でなく、桟瓦の場合には、当該桟瓦の形状に合わせて裏鬼瓦１０の下端部分を削除すればよい。
【００１２】
そして、裏鬼瓦１０の瓦面により、隅棟２の内側の端における端面を覆って塞ぎ、隅棟２と裏鬼瓦１０との間にシリコーン等の接着剤でコーキングすることによって、隅棟２の内部に雨水が浸入するのを防止できる。
最後に、釘孔１２に銅線や針金を通して、この銅線等を隅棟２の内側部分などに結び付けて固定する。このため、隅棟２の内側の端に、第１実施形態の裏鬼瓦１０を取り付けることができる。
なお、第１実施形態の裏鬼瓦１０は、隅棟２の内側の端だけでなく、図５に示す棟違い屋根の陸棟５における内側の端にも取り付けることができる。
【００１３】
第１実施形態の裏鬼瓦１０によれば、裏鬼瓦１０を隅棟２や棟違い屋根の陸棟５における内側の端に取り付けることができるので、裏鬼瓦１０によって隅棟２や棟違い屋根の陸棟５の内部に雨水が浸入するのを防止できる。しかも、裏鬼瓦１０は瓦であるから、耐侯性が高く、他の屋根瓦と統一性があり、美観性を良くすることができる。
【００１４】
裏鬼瓦の形状は、図３（Ｉ）に示す第２実施形態の裏鬼瓦１０Ｂ  のように、横方向に引き延ばされた幅広な形状のものを使用してもよい。隅棟２の内側の端が、直角でなく斜めに切られ、その切口が横方向に広く開いていても、第２実施形態の裏鬼瓦１０Ｂにより確実に塞ぐことができるので、好適である。この場合、裏鬼瓦１０Ｂは桟瓦の上面に設置すればよいので、図３（ＩＩ）に示すように裏鬼瓦１０Ｂの下部を桟瓦の形状に合わせて階段状に削除すればよい。
【００１５】
つぎに、第３実施形態の裏鬼瓦１０Ｃ  を説明する。
図４（Ｉ）は第３実施形態の裏鬼瓦１０Ｃ  の概略図である。同図に示すように、第３実施形態の裏鬼瓦１０Ｃ  は、前記裏鬼瓦１０の表面上部に、飾り付２０が接着剤等により取り付けられたものである。飾り付２０の表面には、例えば打出の小槌が、縁起模様２１として形成されている。
なお、縁起模様２１は、打出の小槌だけでなく、恵比寿や大黒等の七福神、家族の手形、家族の名前を刻んだものであってもよく、縁起がよいものであれば、種々の模様を形成することができる。
【００１６】
裏鬼瓦１０Ｃ  の表面上部には、飾り付２０が取り付けられ、この飾り付２０の表面には縁起模様２１が形成されているので、図４（ＩＩ）および図５に示すように、設置すべき屋根瓦に合わせて裏鬼瓦１０Ｃ  の下部分を削除しても、縁起模様２１の形状を維持したまま、裏鬼瓦１０を棟違い屋根の陸棟５に施工することができる。
なお、第３実施形態の裏鬼瓦１０Ｃ  は、棟違い屋根の陸棟５における内側の端だけでなく、図２に示す隅棟２の内側の端にも取り付けることができる。
【００１７】
第３実施形態の裏鬼瓦１０Ｃ  によれば、第１実施形態の裏鬼瓦１０と同様に、裏鬼瓦１０Ｃ  を隅棟２や棟違い屋根の陸棟５における内側の端に取り付けることができるので、裏鬼瓦１０Ｃ  によって隅棟２や棟違い屋根の陸棟５の内部に雨水が浸入するのを防止できる。しかも、裏鬼瓦１０Ｃ  は瓦であるから、他の屋根瓦と統一性があり、美観性を良くすることができる。
【００１８】
さらに、図５に示すように、第３実施形態の裏鬼瓦１０Ｃ  によれば、瓦の表面上部には、飾り付２０が取り付けられ、この飾り付２０の表面には縁起模様２１が形成されているので、設置すべき屋根瓦の形状に合わせて瓦の下端部分を削除しても、縁起模様２１の形状を維持したまま、裏鬼瓦１０Ｃ  を隅棟２や棟違い屋根の陸棟５に施工することができる。
しかも、裏鬼瓦１０Ｃ  を隅棟２や棟違い屋根の陸棟５に施工することにより、裏鬼瓦１０Ｃ  の縁起模様２１を家の中に向けて配置できるので、家の中に福を呼び込むことができる。このため、隅棟２や棟違い屋根の陸棟５において、鬼瓦３と対にして裏鬼瓦１０を設置することにより、鬼瓦３により厄を排除し、裏鬼瓦１０により福を呼び込むことができるので、縁起がよく、縁起物として使用することができる。
【００１９】
前記実施形態の裏鬼瓦１０、１０Ｂ、１０Ｃ  は、入母屋屋根や千鳥破風屋根、むくり破風屋根など種々の屋根において、隅棟２における内側の端に取り付けることができる。また、裏鬼瓦１０、１０Ｃ  は、棟違い屋根の陸棟５における内側の端にも取り付けることができる。
【００２０】
【発明の効果】
請求項１の発明によれば、耐侯性が高く、裏鬼瓦を隅棟の内側の端に取り付けることができるので、裏鬼瓦によって隅棟の内部に雨水が浸入するのを防止できる。しかも、裏鬼瓦は瓦であるから、他の屋根瓦と統一性があり、美観性を良くすることができる。
請求項２の発明によれば、裏鬼瓦を棟違い屋根の陸棟における内側の端に取り付けることができるので、裏鬼瓦によって棟違い屋根の陸棟の内部に雨水が浸入するのを防止できる。しかも、裏鬼瓦は瓦であるから、他の屋根瓦と統一性があり、美観性を良くすることができる。
請求項３の発明によれば、基層覆面部によって、隅棟や棟違い屋根の陸棟において基層のし瓦が外側にせり出ていても、その端面を確実に覆うことができる。
請求項４の発明によれば、瓦の表面上部には、飾り付が取り付けられ、この飾り付の表面には縁起模様が形成されているので、設置すべき屋根瓦の形状に合わせて瓦の下端部分を削除しても、縁起模様の形状を維持したまま、裏鬼瓦を隅棟や棟違い屋根の陸棟に施工することができる。しかも、裏鬼瓦を隅棟や棟違い屋根の陸棟に施工することにより、裏鬼瓦の縁起模様を家の中に向けて配置できるので、家の中に福を呼び込むことができる。このため、隅棟や棟違い屋根の陸棟において鬼瓦と対にして裏鬼瓦を設置することにより、鬼瓦により家厄を排除し、裏鬼瓦により福を呼び込むことができるので、縁起がよく、縁起物として使用することができる。
【図面の簡単な説明】
【図１】（Ｉ）図は第１実施形態の裏鬼瓦１０の概略斜視図であり、（ＩＩ）図は風切丸４の形状に合わせて下端部分が削除された裏鬼瓦１０の概略斜視図である。
【図２】第１実施形態の裏鬼瓦１０が設置された隅棟２の概略斜視図である。
【図３】（Ｉ）図は第２実施形態の裏鬼瓦１０Ｂ  の概略図であり、（ＩＩ）図は桟瓦の形状に合わせて下端部分が削除された場合の概略図である。
【図４】（Ｉ）図は第３実施形態の裏鬼瓦１０Ｃ  の概略斜視図であり、（ＩＩ）図は風切丸４の形状に合わせて下端部分が削除された裏鬼瓦１０Ｃ  の概略斜視図である。
【図５】第３実施形態の裏鬼瓦１０Ｃ  が設置された陸棟５の概略斜視図である。
【図６】従来の目止め１１０  が施工された隅棟の概略図である。
【符号の説明】
２  隅棟
３  鬼瓦
４  風切丸
５  陸棟
１０  裏鬼瓦
１１  瓦本体
１２  釘孔
１３  基層覆面部
１４  削除部分
２０  飾り付
２１  縁起模様
【図１】
2004162357.tif 000003
【図２】
2004162357.tif 000004
【図３】
2004162357.tif 000005
【図４】
2004162357.tif 000006
【図５】
2004162357.tif 000007
【図６】
2004162357.tif 000008